(57)【要約】【課題】接続ジャックを搭載する基板を被包する電子機器のシールドケースに於て、該シールドケースによって接続ジャックを確実に固定して、接続ジャックの基板からの離脱及び破損を防止する。【解決手段】本発明は、接続ジャック（ＤＣジャック２）を搭載する基板３，４の上下を被包し、側方を部分的に被包する上下シールドケース５，６から成る電子機器１のシールドケース７に於て、前記接続ジャックを前記上下シールドケース５，６側方外方に突出させると共に、該下シールドケース６の側部に該接続ジャックの側面を挟持する左右の立設部８，９を設け、且つ、該上シールドケース５の側部に該接続ジャックの上面に当接する垂設部１０を設け、前記立設部８，９と該垂設部１０によって該接続ジャックを固定するように構成した電子機器のシールドケースを提供する。【選択図】　図２
2004128416.tif 000002
【特許請求の範囲】
【請求項１】
接続ジャックを搭載する基板の上下を被包し、側方を部分的に被包する上下シールドケースから成る電子機器のシールドケースに於て、前記接続ジャックを前記上下シールドケース側方外方に突出させると共に、該下シールドケースの側部に該接続ジャックの側面を挟持する左右の立設部を設け、且つ、該上シールドケースの側部に該接続ジャックの上面に当接する垂設部を設け、前記立設部と該垂設部によって該接続ジャックを固定するように構成したことを特徴とする電子機器のシールドケース。
【請求項２】
接続ジャックを搭載する基板の上下を被包し、側方を部分的に被包する上下シールドケースから成る電子機器のシールドケースに於て、前記接続ジャックを前記上下シールドケース側方外方に突出させると共に、該下シールドケースの側部に該接続ジャックの両側面を挟持する立設部を設け、且つ、該上シールドケースの側部に該接続ジャックの一側面及び上面に当接する段差状の下端部を有する垂設部を設け、前記立設部によって該接続ジャックを挟持すると共に、該垂設部によって該接続ジャックの一側面及び上面を固定するように構成したことを特徴とする電子機器のシールドケース。
【請求項３】
接続ジャックを搭載する基板の上下を被包し、側方を部分的に被包する上下シールドケースから成る電子機器のシールドケースに於て、前記接続ジャックを前記上下シールドケース側方外方に突出させると共に、該下シールドケースの側部に該接続ジャックの一側面に当接する立設部を設け、且つ、該上シールドケースの側部に該接続ジャックの他側面及び上面に当接する段差状の下端部を有する垂設部を設け、前記立設部と垂設部によって該接続ジャックを挟持すると共に、該垂設部で該接続ジャックの上面を固定するように構成したことを特徴とする電子機器のシールドケース。
【請求項４】
接続ジャックを搭載する基板の上下を被包し、側方を部分的に被包する上下シールドケースから成る電子機器のシールドケースに於て、前記接続ジャックを前記上下シールドケース側方外方に突出させると共に、該下シールドケースの側部に該接続ジャックの両側面を挟持する立設部を設け、且つ、該上シールドケースの側部に該接続ジャックの両側面及び上面に当接する逆凹形状の下端部を有する垂設部を設け、前記立設部によって該接続ジャックを挟持すると共に、該垂設部によって該接続ジャックの両側面を挟持し、且つ、上面を固定するように構成したことを特徴とする電子機器のシールドケース。
【請求項５】
上記立設部の下部に垂設片を形成し、該垂設片を内方に折曲することにより、上記基板上面に当接させ、該垂設片によって該基板を保持することを特徴とする請求項１，２，３又は４記載の電子機器のシールドケース。
【請求項６】
上記接続ジャックはＤＣジャックであることを特徴とする請求項１，２，３，４又は５記載の電子機器のシールドケース。
【発明の詳細な説明】
【０００１】
【発明の属する技術分野】
この発明は、電子機器のシールドケースに関するものであり、特に、接続ジャックを搭載する基板をシールドケースで被包して成るインターネットカメラ等の電子機器のシールドケースであって、接続ジャックをシールドケースで固定することにより、接続ジャックの固定を強固にした電子機器のシールドケースに関するものである。
【０００２】
【従来の技術及び発明が解決しようとする課題】
従来の此種電子機器は、シールドケース内に基板を被包し、該基板にＤＣジャック等の接続ジャックが搭載されて固着されているが、該ＤＣジャックは該基板以外に固定されることなく、前記シールドケースからも離間して設けられている。即ち、従来、シールドケース等によってＤＣジャックを固定するものは知られていない。
【０００３】
そのため、該ＤＣジャックはＤＣプラグが接続されている時、或いは、着脱される時、外力を受けると、この外力によって前記基板から離脱したり、或いは、破損する虞があった。
【０００４】
そこで、接続ジャックを搭載する基板を被包する電子機器のシールドケースに於て、該シールドケースによって接続ジャックを確実に固定して、接続ジャックの基板からの離脱及び破損を防止するために解決すべき技術的課題が生じてくるのであり、本発明はこの課題を解決することを目的とする。
【０００５】
【課題を解決するための手段】
本発明は上記目的を達成するために提案されたものであり、接続ジャックを搭載する基板の上下を被包し、側方を部分的に被包する上下シールドケースから成る電子機器のシールドケースに於て、前記接続ジャックを前記上下シールドケース側方外方に突出させると共に、該下シールドケースの側部に該接続ジャックの側面を挟持する左右の立設部を設け、且つ、該上シールドケースの側部に該接続ジャックの上面に当接する垂設部を設け、前記立設部と該垂設部によって該接続ジャックを固定するように構成した電子機器のシールドケース、
及び、接続ジャックを搭載する基板の上下を被包し、側方を部分的に被包する上下シールドケースから成る電子機器のシールドケースに於て、前記接続ジャックを前記上下シールドケース側方外方に突出させると共に、該下シールドケースの側部に該接続ジャックの両側面を挟持する立設部を設け、且つ、該上シールドケースの側部に該接続ジャックの一側面及び上面に当接する段差状の下端部を有する垂設部を設け、前記立設部によって該接続ジャックを挟持すると共に、該垂設部によって該接続ジャックの一側面及び上面を固定するように構成した電子機器のシールドケース、
及び、接続ジャックを搭載する基板の上下を被包し、側方を部分的に被包する上下シールドケースから成る電子機器のシールドケースに於て、前記接続ジャックを前記上下シールドケース側方外方に突出させると共に、該下シールドケースの側部に該接続ジャックの一側面に当接する立設部を設け、且つ、該上シールドケースの側部に該接続ジャックの他側面及び上面に当接する段差状の下端部を有する垂設部を設け、前記立設部と垂設部によって該接続ジャックを挟持すると共に、該垂設部で該接続ジャックの上面を固定するように構成した電子機器のシールドケース、
及び、接続ジャックを搭載する基板の上下を被包し、側方を部分的に被包する上下シールドケースから成る電子機器のシールドケースに於て、前記接続ジャックを前記上下シールドケース側方外方に突出させると共に、該下シールドケースの側部に該接続ジャックの両側面を挟持する立設部を設け、且つ、該上シールドケースの側部に該接続ジャックの両側面及び上面に当接する逆凹形状の下端部を有する垂設部を設け、前記立設部によって該接続ジャックを挟持すると共に、該垂設部によって該接続ジャックの両側面を挟持し、且つ、上面を固定するように構成した電子機器のシールドケース、
及び、上記立設部の下部に垂設片を形成し、該垂設片を内方に折曲することにより、上記基板上面に当接させ、該垂設片によって該基板を保持する電子機器のシールドケース、
並びに、上記接続ジャックはＤＣジャックである電子機器のシールドケースを提供するものである。
【０００６】
【発明の実施の形態】
以下、本発明の一実施の形態を図１乃至図５に従って詳述する。図１に於て、１はインターネット上で送受信する画像を撮影するためのインターネットカメラ等の電子機器であり、該電子機器１は接続ジャックであるＤＣジャック２が搭載された基板３及び他の基板４が、上下シールドケース５，６から成るシールドケース７によって上下を被包され、且つ、側方を部分的に被包されている。
【０００７】
そして、図２に示す如く、前記ＤＣジャック２は前記上下シールドケース５，６の側方外方に突出されると共に、該下シールドケース６の側部に該ＤＣジャック２の側面を挟持する左右の立設部８，９が設けられ、且つ、該上シールドケース５の側方に該ＤＣジャック２の上面に当接する垂設部１０が設けられ、前記立設部８，９と該垂設部１０によって該ＤＣジャック２が固定されるように構成されている。
【０００８】
従って、図３に示す如く、前記電子機器１を組み立てる時、前記下シールドケース６に前記ＤＣジャック２が搭載された前記基板３がＡの如く組み込まれると、該ＤＣジャック２が前記立設部８，９間に挿入されて、該立設部８，９によって挟持されることにより該ＤＣジャック２の左右方向の変位が規制され、更に、前記上シールドケース５に他の基板４がＢの如く組み込まれ、該基板４が組み込まれた該上シールドケース５が前記下シールドケース６にＣの如く組み合わされた時、該上シールドケース５に形成された垂設部１０が前記ＤＣジャック２の上面に当接し、該ＤＣジャック２の上方向への変位が規制される。
【０００９】
尚、前記基板３，４は前記上下シールドケース５，６から該上下シールドケース５，６の図に於て左右側部に延設された延設片１１，１１…に挟着され、且つ、該延設片１１，１１…と共に一体に螺着されて固着される。
【００１０】
斯くして、前記ＤＣジャック２は前記基板３に固着されると共に、前記立設部８，９によって左右方向の変位を規制され、前記垂設部１０によって上方向の変位を規制されるので、確実に固定され、該ＤＣジャック２に外力がかかった場合も、該ＤＣジャック２が前記基板３から離脱することはなく、且つ、損傷することもない。
【００１１】
又、前記左立設部８の下部には該立設部８の一部が切り込まれて垂設片１２が形成され、該垂設片１２を内方に折曲することにより、前記基板３上面に当接させ、該基板３を固定するように構成されている。
【００１２】
更に、図４は他の実施例の上シールドケース１３を示し、該上シールドケース１３は前記上シールドケース５の垂設部１０に代えて、前記ＤＣジャック２の図に於て右側面及び上面に当接する段差状の下端部を有する垂設部１４を設けたものである。
【００１３】
該シールドケース１３は該垂設部１４によって該ＤＣジャック２の右側面及び上面を固定するので、該ＤＣジャック２の固定が更に強固になるという利点がある。
【００１４】
又、この場合、該垂設部１４によって、該ＤＣジャック２の右側面を固定するので、前記下シールドケース６側部の左右立設部８，９のうち、右立設部９を不要とすることができ、然る時も、前記上下シールドケース５，６を用いた場合と略同様に前記ＤＣジャック２を固定することができる。
【００１５】
そして、図５は更に他の実施例の上シールドケース１５を示し、該上シールドケース１５は前記上シールドケース５の垂設部１０に代えて、前記ＤＣジャック２の両側面及び上面に当接する逆凹形状の下端部を有する垂設部１６を設けたものである。
【００１６】
該シールドケース１５は該垂設部１６によって該ＤＣジャック２の両側面及び上面を固定するので、該ＤＣジャック２の固定が更に一層強固になるという利点がある。
【００１７】
又、この場合、該垂設部１６によって、該ＤＣジャック２の両側面を固定するので、前記下シールドケース６側部の左右立設部８，９の一方、又は両方を不要とすることができ、然る時も、前記上下シールドケース５，６を用いた場合と略同様に前記ＤＣジャック２を確実に固定することができる。
【００１８】
更に、前述の説明に於ては、接続ジャックとしてＤＣジャック２を用いて説明したが、本発明は該ＤＣジャック２に限定されることなく、他の接続ジャックについても同様に適用することが可能である。
【００１９】
尚、本発明は、本発明の精神を逸脱しない限り種々の改変を為すことができ、そして、本発明が該改変されたものに及ぶことは当然である。
【００２０】
【発明の効果】
本発明は上記一実施の形態に詳述したように、請求項１記載の発明は、電子機器のシールドケースに於て、接続ジャックを上下シールドケース側方外方に突出させると共に、該下シールドケースの側部に該接続ジャックの側面を挟持する左右の立設部を設け、且つ、該上シールドケースの側部に該接続ジャックの上面に当接する垂設部を設けたので、前記立設部と該垂設部によって該接続ジャックを確実に固定することができ、該接続ジャックの基板から離脱及び破損を防止することができる。
【００２１】
又、請求項２記載の発明は、接続ジャックを上下シールドケース側方外方に突出させると共に、該下シールドケースの側部に該接続ジャックの両側面を挟持する立設部を設け、且つ、該上シールドケースの側部に該接続ジャックの一側面及び上面に当接する段差状の下端部を有する垂設部を設けたため、前記立設部によって該接続ジャックを挟持すると共に、該垂設部によって該接続ジャックの一側面及び上面を固定することができ、請求項１記載の発明の効果に加え、接続ジャックを更に確実に固定することができる。
【００２２】
更に、請求項３記載の発明は、接続ジャックを前記上下シールドケース側方外方に突出させると共に、下シールドケースの側部に該接続ジャックの一側面に当接する立設部を設け、且つ、該上シールドケースの側部に該接続ジャックの他側面及び上面に当接する段差状の下端部を有する垂設部を設けたので、前記立設部と垂設部によって該接続ジャックを挟持すると共に、該垂設部で該接続ジャックの上面を固定することができ、請求項１記載の発明と略同様の効果を期待することができる。
【００２３】
更に又、請求項４記載の発明は、接続ジャックを上下シールドケース側方外方に突出させると共に、該下シールドケースの側部に該接続ジャックの両側面を挟持する立設部を設け、且つ、該上シールドケースの側部に該接続ジャックの両側面及び上面に当接する逆凹形状の下端部を有する垂設部を設けたので、前記立設部によって該接続ジャックを挟持すると共に、該垂設部によって該接続ジャックの両側面を挟持し、且つ、上面を固定することができ、請求項１記載の発明の効果に加え、前記接続ジャックを更に一層確実に固定することができる。
【００２４】
そして、請求項５記載の発明は、上記立設部の下部に垂設片を形成したので、該垂設片を内方に折曲することにより、上記基板上面に当接させ、該垂設片によって該基板を保持することができ、請求項１，２，３又は４記載の発明の効果に加え、簡素な構成で基板を下シールドケースに固定することができる。
【００２５】
又、請求項６記載の発明は、上記接続ジャックはＤＣジャックであるので、ＤＣジャックについて、請求項１，２，３，４又は５記載の発明の効果が期待できる等、正に著大なる効果を奏する発明である。
【図面の簡単な説明】
【図１】本発明の一実施の形態を示し、電子機器の正面図。
【図２】図１に示す電子機器の一部拡大正面図。
【図３】図２に示す電子機器の組み立て説明図。
【図４】他の実施の形態を示し、電子機器の一部拡大正面図。
【図５】更に他の実施の形態を示し、電子機器の一部拡大正面図。
【符号の説明】
１　　　　　　　　電子機器
２　　　　　　　　ＤＣジャック
３　　　　　　　　基板
５，１３，１５　　上シールドケース
６　　　　　　　　下シールドケース
８，９　　　　　　立設部
１０，１４，１６　　垂設部
１２　　　　　　　　垂設片
【図１】
2004128416.tif 000003
【図２】
2004128416.tif 000004
【図３】
2004128416.tif 000005
【図４】
2004128416.tif 000006
【図５】
2004128416.tif 000007